(57)【要約】      （修正有）【課題】結合高さが減少された基板メイティンコネクタを提供する。【解決手段】一側が基板の信号電極と接触して上記信号電極と電気的に接続される信号部１００と、一側が基板のグラウンド電極と接触して上記グラウンド電極と電気的に接続され、内側に中空が形成されるグラウンド部２００と、上記信号部１００と上記グラウンド部２００とが挿入されるようにハウジング挿入ホール４１０が形成され、上記グラウンド部１００と接触する部分の少なくとも一部は金属で形成されるハウジング部４００と、上記ハウジング挿入ホール４１０に挿入され、上記信号部１００が上記グラウンド部２００と上記ハウジング部４００から離隔されるように、上記信号部１００と上記ハウジング部４００の間に位置する誘電体部３００とを含んでいる構成により実現する。【選択図】図１
2020009758.tif 000002
【特許請求の範囲】
【請求項１】
一側が基板の信号電極と接触して前記信号電極と電気的に接続される信号部と、
一側が基板のグラウンド電極と接触して前記グラウンド電極と電気的に接続され、内側に中空が形成されるグラウンド部と、
前記信号部と前記グラウンド部とが挿入されるようにハウジング挿入ホールが形成され、前記グラウンド部と接触する部分の少なくとも一部は金属で形成されるハウジング部と、
前記ハウジング挿入ホールに挿入され、前記信号部が前記グラウンド部と前記ハウジング部から離隔されるように、前記信号部と前記ハウジング部の間に位置する誘電体部と、
を備える
結合高さが減少された基板メイティンコネクタ。
【請求項２】
前記グラウンド部は、
前記ハウジング挿入ホールに挿入されるグラウンド挿入部と、
前記グラウンド挿入部から上部に延長され、弾性力を有するように周囲に沿ってスリットが少なくとも３以上形成されるグラウンド弾性部と、
前記グラウンド弾性部から延長され、基板のグラウンド電極と接触するグラウンド接触部と、をさらに含んでいる
請求項１に記載の結合高さが減少された基板メイティンコネクタ。
【請求項３】
前記グラウンド接触部から折り曲げられて、前記グラウンド接触部の延長方向と逆方向に延びる弾性湾曲部をさらに含んでいる
請求項２に記載の結合高さが減少された基板メイティンコネクタ。
【請求項４】
前記弾性湾曲部から折り曲げられて前記弾性湾曲部の延長方向と逆方向に延びる弾性制限部をさらに含んでいる
請求項３に記載の結合高さが減少された基板メイティンコネクタ。
【請求項５】
前記グラウンド弾性部は、
前記グラウンド挿入部から折り曲げられて延長される第１弾性部と、
前記第１弾性部から上部に折り曲げられて延長される第２弾性部と、を含んでいる
請求項２から４いずれか一項に記載の結合高さが減少された基板メイティンコネクタ。
【請求項６】
前記第１弾性部の延長方向は、前記グラウンド挿入部の延長方向に垂直である
請求項５に記載の結合高さが減少された基板メイティンコネクタ。
【請求項７】
前記グラウンド挿入部と前記第１弾性部との間に前記第１弾性部の延長方向を前記グラウンド挿入部の外側方向から内側方向に切り替えるグラウンド切替部をさらに含んでいる
請求項５または６に記載の結合高さが減少された基板メイティンコネクタ。
【請求項８】
前記第１弾性部と前記第２弾性部とは、前記グラウンド挿入部の内側に延長される
請求項５から７のいずれか一項に記載の結合高さが減少された基板メイティンコネクタ。
【請求項９】
前記グラウンド挿入部の周囲面に内側に突出して形成される挿入突出部をさらに含んでいる
請求項２から８のいずれか一項に記載の結合高さが減少された基板メイティンコネクタ。
【請求項１０】
前記信号部は、
内部に一側が開放されたボディ挿入ホールが形成される信号ボディ部と、
内部に他側が開放されたコンタクト挿入ホールが形成される信号コンタクト部と、
前記ボディ挿入ホールの一側と前記コンタクト挿入ホールの他側との間に挿入される信号スプリングと、を含み、
前記ボディ挿入ホールには、前記信号コンタクト部の一側の一部が挿入され、
前記信号スプリングが圧縮された状態で前記信号ボディ部の内側に前記信号コンタクト部の外側が接触して前記信号ボディ部と前記信号コンタクト部とが電気的に接続され
請求項２から９のいずれか一項に記載の結合高さが減少された基板メイティンコネクタ。
【請求項１１】
前記信号コンタクト部の他端の外壁から突出して形成されるコンタクト突出部と、
前記信号コンタクト部の他端から一側に長く形成され、前記信号コンタクト部の周囲に沿って少なくとも３以上形成されるコンタクトスリットと、をさらに含んでいる
請求項１０に記載の結合高さが減少された基板メイティンコネクタ。
【請求項１２】
前記信号ボディ部の内壁から突出して形成されるボディ突出部と、
前記信号スプリングが圧縮され復元されるとき、前記ボディ突出部が挿入されて前記信号コンタクト部の上下移動がガイドされるように、前記信号コンタクト部の周囲に沿って環状に形成されるコンタクトホームと、をさらに含んでいる
請求項１０または１１に記載の結合高さが減少された基板メイティンコネクタ。
【請求項１３】
前記ハウジング部から前記ハウジング挿入ホールの内側に突出して形成される突出顎と、
前記誘電体部の下部の直径が減少されて前記突出顎と対応する形状に形成されるひっかける部と、をさらに含んでいる
請求項２から１２のいずれか一項に記載の結合高さが減少された基板メイティンコネクタ。
【請求項１４】
前記グラウンド部と前記ハウジング挿入ホールとの間に位置されているカバー部をさらに含んでいる
請求項２から１３のいずれか一項に記載の結合高さが減少された基板メイティンコネクタ。
【請求項１５】
前記グラウンド挿入部の下段に外側に折り曲げられて前記カバー部の下端が挿入されるカバーはめこみ部をさらに含んでいる
請求項１４に記載の結合高さが減少された基板メイティンコネクタ。
【発明の詳細な説明】
【技術分野】
【０００１】
本発明は、結合高さが減少された基板メイティンコネクタに関する。
【背景技術】
【０００２】
基板メイティンコネクタは、印刷回路基板などの信号配線が形成された上部基板と下部基板との間で基板の間にＲＦ信号を伝達する。
【０００３】
これらの、基板メイティンコネクタは、上部基板と下部基板との間で結合の高さを増加させるので、これを備えるモジュールの厚さが増加するという問題点がある。
【０００４】
また、基板メイティンコネクタの信号部は、信号スプリングを介してＲＦ信号が伝達された場合には、ＰＩＭＤ（Ｐａｓｓｉｖｅ  Ｉｎｔｅｒ−Ｍｏｄｕｌａｔｉｏｎ  Ｄｉｓｔｏｒｔｉｏｎ）特性が良くない問題点がある。
【先行技術文献】
【特許文献】
【０００５】
【特許文献１】韓国公開特許第  １０−２０１５−００８０４８６  Ａ
【特許文献２】韓国登録特許第  １０−１３２６２９６  Ｂ１
【特許文献３】韓国登録特許第  １０−１４０８２４９  Ｂ１
【特許文献４】韓国登録特許第  １０−１８５５１３３  Ｂ１
【発明の概要】
【発明が解決しようとする課題】
【０００６】
本発明は、結合高さが減少された基板メイティンコネクタを提供することにその目的がある。
【課題を解決するための手段】
【０００７】
本発明に係る結合高さが減少された基板メイティンコネクタは、一側が基板の信号電極と接触して上記信号電極と電気的に接続される信号部と、一側が基板のグラウンド電極と接触して上記グラウンド電極と電気的に接続され、内側に中空が形成されるグラウンド部と、上記信号部と上記グラウンド部とが挿入されるようにハウジング挿入ホールが形成され、上記グラウンド部と接触する部分の少なくとも一部は金属で形成されるハウジング部と、上記ハウジング挿入ホールに挿入され、上記信号部が上記グラウンド部と上記ハウジング部から離隔されるように、上記信号部と上記ハウジング部の間に位置する誘電体部とを備える。
【０００８】
上記グラウンド部は、上記ハウジング挿入ホールに挿入されるグラウンド挿入部と、上記グラウンド挿入部から上部に延長され、弾性力を有するように周囲に沿ってスリットが少なくとも３以上形成されるグラウンド弾性部と、上記グラウンド弾性部から延長され、基板のグラウンド電極と接触するグラウンド接触部とをさらに含んでいる。
【０００９】
上記グラウンド  接触部から折り曲げられて、上記グラウンド接触部の延長方向と逆方向に延びる弾性湾曲部をさらに含んでいる。
【００１０】
上記弾性湾曲部から折り曲げられて上記弾性湾曲部の延長方向と逆方向に延びる弾性制限部をさらに含んでいる。
【００１１】
上記グラウンド弾性部は、上記グラウンド挿入部から折り曲げられて延長される第１弾性部と、上記第１弾性部から上部に折り曲げられて延長される第２弾性部とを含んでいる。
【００１２】
上記第１弾性部の延長方向は、上記グラウンド挿入部の延長方向に垂直である。
【００１３】
上記グラウンド挿入部と上記第１弾性部との間に上記第１弾性部の延長方向を上記グラウンド挿入部の外側方向から内側方向に切り替える  グラウンド切替部をさらに含んでいる。
【００１４】
上記第１弾性部と上記第２弾性部とは、上記グラウンド挿入部の内側に延長される。
【００１５】
上記グラウンド挿入部の周囲面に内側に突出して形成される挿入突出部をさらに含んでいる。
【００１６】
上記信号部は、内部に一側が開放されたボディ挿入ホールが形成される信号ボディ部と、内部に他側が開放されたコンタクト挿入ホールが形成される信号コンタクト部と、上記ボディ挿入ホールの一側と上記コンタクト挿入ホールの他側との間に挿入される信号スプリングと、を含み、上記ボディ挿入ホールには上記信号コンタクト部の一側の一部が挿入され、上記信号スプリングが圧縮された状態で上記信号ボディ部の内側に上記信号コンタクト部の外側が接触して上記信号ボディ部と上記信号コンタクト部とが電気的に接続される。
【００１７】
上記信号コンタクト部の他端の外壁から突出して形成されるコンタクト突出部と、上記信号コンタクト部の他端から一側に長く形成され、上記信号コンタクト部の周囲に沿って少なくとも３以上形成されるコンタクトスリットとをさらに含んでいる。
【００１８】
上記信号ボディ部の内壁から突出して形成されるボディ突出部と、上記信号スプリングが圧縮され復元されるとき、上記ボディ突出部が挿入されて上記信号コンタクト部の上下移動がガイドされるように、上記信号コンタクト部の周囲に沿って環状に形成されるコンタクトホームとをさらに含んでいる。
【００１９】
上記ハウジング部から上記ハウジング挿入ホールの内側に突出して形成される突出顎と、上記誘電体部の下部の直径が減少されて上記突出顎と対応する形状に形成されるひっかける部とをさらに含んでいる。
【００２０】
上記グラウンド部と上記ハウジング挿入ホールとの間に位置されているカバー部をさらに含んでいる。
【００２１】
上記グラウンド挿入部の下段に外側に折り曲げられて上記カバー部の下端が挿入されるカバーはめこみ部をさらに含んでいる。
【発明の効果】
【００２２】
まず、ハウジング部にハウジング挿入ホールを形成してハウジング挿入ホールに基板メイティンコネクタが挿入されることにより結合高さを減少することができるので、これを適用するモジュールの厚さが減少する効果がある。
【００２３】
また、突出顎にひっかける部がかかってハウジング挿入ホールに基板メイティンコネクタが挿入される深さを制限することができるので、信号部の一端と接触する信号電極との間隙を調節する効果がある。
【００２４】
また、弾性湾曲部が形成されてグラウンド接触部の先端にグラウンド電極が直接接触することを防止するので、グラウンド電極が損傷されることを防止し、さらに弾性力を改善する効果がある。
【００２５】
また、グラウンド部に過度な力が加わると弾性制限部が他の構成に触れグラウンド部がもう変形されることを制限するので、グラウンド部の変形を防止する効果がある。
【００２６】
また、第１弾性部と第２の弾性部とはグラウンド弾性部に加わる応力を分散するので、グラウンド部の変形を防止する効果がある。
【００２７】
また、第１弾性部は水平方向に延長されて動作されるので、結合高さが減少される効果がある。
【００２８】
また、第１弾性部と第２の弾性部とはグラウンド弾性部に加わる応力を分散するので、グラウンド部の変形を防止する効果がある。
【００２９】
また、挿入突出部がハウジングに密着してグラウンド部とハウジングとの間に空き範囲が発生することを最小限に抑えるため、基板メイティンコネクタが遊動することを防止する効果がある。
【００３０】
また、カバー部はグラウンド部の外側を包んでいるので、ハウジング挿入ホールに挿入時の基板メイティンコネクタが損傷するのを防止する効果がある。
【００３１】
また、カバー部の下部がカバーはめこみ部  に挿入されて、カバー部の遊動を防止してグラウンド部とカバー部との結合力を高める効果がある。
【００３２】
また、空き範囲が発生することを最小限に抑えるため、基板メイティンコネクタが遊動することを防止する効果がある。
【００３３】
また、信号ボディ部と信号コンタクト部とは電気的に接続されるので、本発明に係る信号部のＰＩＭＤ特性が向上される効果がある。
【図面の簡単な説明】
【００３４】
【図１】本発明の第１の実施例を説明するための断面図である。
【図２】本発明の第２の実施例を説明するための断面図である。
【図３】本発明の第３の実施例を説明するための断面図である。
【図４】本発明の第３の実施例を説明するための斜視図である。
【図５】本発明の第４の実施例を説明するための断面図である。
【図６】本発明の第４の実施例を説明するための斜視図である。
【図７】本発明の第５の実施例を説明するための断面図である。
【図８】本発明の第５の実施例を説明するための斜視図である。
【図９】本発明の信号部を説明するための断面図である。
【図１０】本発明の信号部の圧縮状態を説明するための断面図である。
【発明を実施するための形態】
【００３５】
本発明に係る結合高さが減少された基板メイティンコネクタの理解を助けるために、それぞれの特徴を以下のようにまず説明する。
【００３６】
まず、第１の実施例は、誘電体部３００がグラウンド部２００と離隔されて、信号部１００とハウジング部４００との間に位置する。
【００３７】
また、第２の実施例から第５の実施例は、誘電体部３００が信号部１００とグラウンド部２００との間に位置する。
【００３８】
また、第１の実施例から第５の実施例は、それぞれグラウンド部２００の形状に応じて区分される。
【００３９】
すなわち、第１の実施例を基本実施例とし、第２の実施例から第５の実施例は、グラウンド弾性部２２０が、第１弾性部２２１と第２弾性部２２２とを含み、第２実施例は、弾性制限部２５０をさらに含み、第４の実施例は、グラウンド切替部２６０をさらに含む。
【００４０】
また、第１の実施例から第３実施例は、グラウンド弾性部２２０がグラウンド挿入部２１０の外側に延長され、第４の実施例及び第５実施例は、グラウンド挿入部２１０の内側に延長される。
【００４１】
また、第３実施例と第４実施例とは、カバー部５００をさらに含む。
【００４２】
以降の説明では、先に説明した実施例から導出することができる要素に対する理解を助けるために説明する。
【００４３】
また、後に説明する要素の組み合わせによって、前述の実施例と同じ例が導き出されるか、先に説明した実施例に要素が付加または削除されて新しい実施例を導出することができる。
【００４４】
基板メイティンコネクタは、上部基板と下部基板との間で結合高さを増加させるので、これを備えるモジュールの厚さが増加するという問題点がある。
【００４５】
これらの問題点を解決するために、本発明に係る結合高さが減少された基板メイティンコネクタは、図１から図８に示すように、信号部１００とグラウンド部２００とハウジング部４００とハウジング挿入ホール４１０と誘電体部３００とを含んでいる。
【００４６】
信号部１００は、一側が基板の信号電極と接触して信号電極と電気的に接続される。
【００４７】
グラウンド部２００は、一側が基板のグラウンド電極と接触してグラウンド電極と電気的に接続され、内側に中空が形成される。
【００４８】
また、グラウンド部２００は、金属加工の代わりに金属板材を円筒状に曲げて形成することができる。
【００４９】
ハウジング挿入ホール４１０は、信号部１００と上記グラウンド部２００とが挿入されるように、ハウジング部４００に形成される。
【００５０】
ハウジング部４００は、グラウンド部２００と接触する部分の全体を金属で形成したり、接触された部分の少なくとも一部は、金属で形成されたりする。
【００５１】
このとき、金属は導電性材料の金属で選択することにより、グラウンド部２００と電気的に接続させることができる。
【００５２】
誘電体部３００は、ハウジング挿入ホール４１０に挿入され、信号部１００がグラウンド部２００とハウジング部４００とから離隔されるように信号部１００とハウジング部４００との間に位置する。
【００５３】
このとき、誘電体部３００は、図１に示すように、グラウンド部２００と離隔されて信号部１００とハウジング部４００との間に位置するか、図２から図８に示すように、信号部１００とグラウンド部２００との間に位置することができる。
【００５４】
このように、ハウジング部４００にハウジング挿入ホール４１０を形成してハウジング挿入ホール４１０に基板メイティンコネクタが挿入されることにより結合高さを減少することができるので、これを適用するモジュールの厚さが減少する効果がある。
【００５５】
本発明に係る結合高さが減少された基板メイティンコネクタは、図１から図８に示すように、ひっかける部３０１と突出顎４１１とをさらに含む。
【００５６】
突出顎４１１は、ハウジング部４００からハウジング挿入ホール４１０の内側に突出して形成される。
【００５７】
ひっかける部３０１は、誘電体部３００の下部の直径が減少して突出顎４１１と対応する形状に形成される。
【００５８】
このとき、図２から図８に示すように、誘電体部３００が信号部１００とグラウンド部２００との間に位置する実施例において、ひっかける部３０１と突出顎４１１との間にグラウンド部２００が位置する場合、空き空間が生じ、基板メイティンコネクタが遊動することができる。
【００５９】
したがって、グラウンド部２００は、ひっかける部３０１を基準に誘電体部３００の上部の外側のみに形成され、誘電体部３００の下部の外側には形成されず、誘電体部３００とハウジング部４００とが直接面接することが望ましい。
【００６０】
このように、突出顎４１１にひっかける部３０１がかかってハウジング挿入ホール４１０に基板メイティンコネクタが挿入される深さを制限することができるので、信号部１００の一端と接触する信号電極との間隙を調節する効果がある。
【００６１】
本発明に係る結合高さが減少された基板メイティンコネクタのグラウンド部２００は、図１から図８に示すように、グラウンド挿入部２１０とグラウンド弾性部２２０とグラウンド接点２３０とをさらに含む。
【００６２】
グラウンド挿入部２１０は、ハウジング挿入ホール４１０に挿入される。
【００６３】
グラウンド弾性部２２０は、グラウンド挿入部２１０から上部に延長され、弾性力を有するように周囲に沿ってスリットが少なくとも３以上形成される。
【００６４】
グラウンド弾性部２２０は、スリットにより３以上に分離され、グラウンド電極に接触された時に弾かれる。
【００６５】
グラウンド接触部２３０は、グラウンド弾性部２２０から延長され、基板のグラウンド電極と接触する。
【００６６】
グラウンド電極がグラウンド接触部２３０の端部に直接接触している場合、グラウンド電極がグラウンド接触部２３０の端部に損傷される問題点がある。
【００６７】
これらの問題点を解決するために、本発明に係る結合高さが減少された基板メイティンコネクタは、図２から図８に示すように、弾性湾曲部２４０をさらに含む。
【００６８】
弾性湾曲部２４０は、グラウンド接触部２３０から折り曲げられてグラウンド接触部２３０の延長方向と反対方向に延長される。
【００６９】
つまり、グラウンド接触部２３０の先端に弾性湾曲部２４０が形成されるので、グラウンド電極にはグラウンド接触部２３０の先端ではなく、面が接触されるようになる。
【００７０】
このように、弾性湾曲部２４０が形成されてグラウンド接触部２３０の先端にグラウンド電極が直接接触することを防止するため、グラウンド電極が損傷されることを防止し、さらに弾性力を改善する効果がある。
【００７１】
グラウンド部２００に過度に力が加わるとグラウンド部２００が変形される問題点がある。
【００７２】
これらの問題点を解決するために、本発明に係る結合高さが減少された基板メイティンコネクタは、図２に示すように、弾性制限部２５０をさらに含む。
【００７３】
弾性制限部２５０は、弾性湾曲部２４０から折り曲げられて弾性湾曲部２４０の延長方向と反対方向に延長される。
【００７４】
弾性制限部２５０は、グラウンド部２００に加わる力が増加すればするほどグラウンド弾性部２２０に近接するようになり、グラウンド部２００に過度に力が加わると弾性制限部２５０がグラウンド弾性部２２０に接してもうグラウンド弾性部２２０が変形されることを制限する。
【００７５】
このように、グラウンド部２００に過度に力が加わると弾性制限部２５０が他の構成に触れてグラウンド部２００がさらに変形されることを制限するので、グラウンド部２００が変形されるのを防止する効果がある。
【００７６】
本発明に係る結合高さが減少された基板メイティンコネクタのグラウンド弾性部２２０は、図２から図８に示すように、第１弾性部２２１と第２弾性部２２２とをさらに含んでいる。
【００７７】
第１弾性部２２１は、グラウンド挿入部２１０から折り曲げられて延長される。
【００７８】
第２弾性部２２２は、第１弾性部２２１から上部に折り曲げられて延長される。
【００７９】
このように、第１弾性部２２１と第２弾性部２２２とは、グラウンド弾性部２２０に加わる応力を分散するので、グラウンド部２００が変形するのを防止する効果がある。
【００８０】
このとき、図２から図６に示すように、第１弾性部２２１の延長方向は、グラウンド挿入部２１０の延長方向に垂直に形成することができる。
【００８１】
このように、第１弾性部２２１が水平方向に延長されて動作されるので、結合高さが減少される効果がある。
【００８２】
また、図７及び図８に示すように、第１弾性部２２１と第２弾性部２２２とは、グラウンド挿入部２１０の内側に延長されて、グラウンド部２００が、全体的に垂直方向に延長されたり、図５及び図６に示すように、グラウンド切替部２６０をさらに含むグラウンド部２００が全体的に垂直方向に延長されたりすることができる。
【００８３】
グラウンド切替部２６０は、グラウンド挿入部２１０と第１弾性部２２１との間で第１弾性部２２１の延長方向をグラウンド挿入部２１０の外側方向から内側方向に切り替えする。
【００８４】
具体的には、グラウンド切替部２６０は、グラウンド挿入部２１０と垂直にグラウンド挿入部２１０から延長された後折り曲げられて延長された方向と反対方向に延長され、第１弾性部２２１の延長方向を外側から内側に切り替える。
【００８５】
このように、第１弾性部２２１と第２弾性部２２２とは、グラウンド弾性部２２０に加わる応力を分散するので、グラウンド部２００が変形するのを防止する効果がある。
【００８６】
本発明に係る結合高さが減少された基板メイティンコネクタは、図２と図７と図８とに示すように、挿入突出部２１１をさらに含む。
【００８７】
挿入突出部２１１は、グラウンド挿入部２１０から内部に突出して形成される。
【００８８】
このように、挿入突出部２１１がハウジングに密着してグラウンド部２００とハウジングとの間に空き範囲が発生することを最小限に抑えるため、基板メイティンコネクタが遊動することを防止する効果がある。
【００８９】
基板メイティンコネクタをハウジング挿入ホール４１０に挿入時に基板メイティンコネクタが損傷される問題点がある。
【００９０】
また、ハウジング挿入ホール４１０に基板メイティンコネクタを挿入時に空き容量が発生して基板メイティンコネクタが遊動する問題がある。
【００９１】
これらの問題点を解決するために、本発明に係る結合高さが減少された基板メイティンコネクタは、図３から図６に示すように、カバー部５００をさらに含む。
【００９２】
カバー部５００は、グラウンド部２００とハウジング挿入ホール４１０との間に位置する。
【００９３】
図５と図６とに示すように、カバーはめこみ部  ２１２は、グラウンド挿入部２１０の下部に外側に折り曲げられてカバー部５００の下段が挿入される。
【００９４】
カバーはめこみ部２１２は、グラウンド挿入部２１０の下段の周囲に沿って１以上形成されてグラウンド挿入部２１０の外側面をカバー部５００の内側面に密着させて、カバー部５００をハウジング挿入ホール４１０から離隔させる。
【００９５】
グラウンド部２００が金属板材を円筒状に曲げて形成される場合グラウンド部２００は、厚さが薄いので、ハウジング挿入ホール４１０に挿入時に損傷することができる。
【００９６】
このとき、カバー部５００がグラウンド部２００の外部を包んでグラウンド部２００の薄い厚さを補強してハウジング挿入ホール４１０に挿入時の損傷を防止するものである。
【００９７】
このように、カバー部５００がグラウンド部２００の外部を包んでいるので、ハウジング挿入ホール４１０に挿入時に基板メイティンコネクタが損傷するのを防止する効果がある。
【００９８】
また、空き範囲が発生することを最小限に抑えるため、基板メイティンコネクタが遊動することを防止する効果がある。
【００９９】
また、カバー部５００の下段がカバーはめこみ部２１２に挿入されてカバー部５００の遊動を防止してグラウンド部２００とカバー部５００の結合力を高める効果がある。
【０１００】
信号スプリング１３０を介して信号ボディ部１１０と信号コンタクト部１２０が電気的に接続されている場合、ＰＩＭＤ特性が良くない問題点がある。
【０１０１】
これらの問題点を解決するために、本発明に係る結合高さが減少された基板メイティンコネクタの信号部１００は、図９及び図１０に示すように、信号ボディ部１１０と、信号コンタクト部１２０と、信号スプリング１３０と、コンタクト突出部１２２と、コンタクトスリット１２３と、ボディ突出部１１２と、コンタクトホーム１２４とをさらに含む。
【０１０２】
信号ボディ部１１０は、内部に一側が開放されたボディを挿入ホール１１１が形成される。
【０１０３】
信号コンタクト部１２０は、内部に他側が開放されたコンタクト挿入ホール１２１が形成される。
【０１０４】
信号スプリング１３０は、ボディ挿入ホール１１１の一側とコンタクト挿入ホール１２１の他側との間に挿入される。
【０１０５】
ボディ挿入ホール１１１には、信号コンタクト部１２０の一側の一部が挿入される。
【０１０６】
このとき、信号スプリング１３０が圧縮された状態で信号ボディ部１１０の内側に信号コンタクト部１２０の外側が接触して信号ボディ部１１０と信号コンタクト部１２０とが電気的に接続される。
【０１０７】
コンタクト突出部１２２は、信号コンタクト部１２０の他端の外壁から突出して形成される。
【０１０８】
コンタクトスリット１２３は、信号コンタクト部１２０の他端から一側に長く形成され、信号コンタクト部１２０の周囲に沿って少なくとも３以上形成される。
【０１０９】
ボディ突出部１１２は、信号ボディ部１１０の内壁から突出して形成される。
【０１１０】
コンタクトホーム１２４は、信号スプリング１３０が圧縮され復元されるとき、ボディ突出部１１２が挿入されて信号コンタクト部１２０の上下移動がガイドされるように、信号コンタクト部１２０の周囲に沿って環状に形成される。
【０１１１】
このように、信号ボディ部１１０と信号コンタクト部１２０とが電気的に接続されるので、本発明に係る信号部１００はＰＩＭＤ特性が向上される効果がある。
【符号の説明】
【０１１２】
１００信号部                １１０信号ボディ部
１１１ボディ挿入ホール        １１２ボディ突出部
１２０信号コンタクト部        １２１コンタクト挿入ホール
１２２コンタクト突出部        １２３コンタクトスリット
１２４コンタクトホーム        １３０信号スプリング
２００グラウンド部            ２１０グラウンド挿入部
２１１挿入突出部            ２１２カバーはめこみ部
２２０グラウンド弾性部        ２２１第１弾性部
２２２第２弾性部            ２３０グラウンド接触部
２４０弾性湾曲部            ２５０弾性制限部
２６０グラウンド切替部        ３００誘電体部
３０１ひっかける部            ４００ハウジング部
４１０ハウジング挿入ホール        ４１１突出顎
５００カバー部            ５０１突出収容部
【図１】
2020009758.tif 000003
【図２】
2020009758.tif 000004
【図３】
2020009758.tif 000005
【図４】
2020009758.tif 000006
【図５】
2020009758.tif 000007
【図６】
2020009758.tif 000008
【図７】
2020009758.tif 000009
【図８】
2020009758.tif 000010
【図９】
2020009758.tif 000011
【図１０】
2020009758.tif 000012
【外国語明細書】
2020009758000001.pdf